(57)【要約】【課題】床の大スパン化、大スパン化に伴なうクリープと木造床で発生しやすい床鳴りを防止すると共に、端根太と床根太を強固に接合できるようにした枠組壁構造の床組およびその施工方法を提供する。【解決手段】壁パネル１の上枠１ａに頭つなぎ２を、頭つなぎ２の上に端根太３をそれぞれ釘打ちして固定する。頭つなぎ２の上にＨ形鋼からなる床根太４の端部と端根太転び止め５をそれぞれ設置する。転び止め５は端根太３に釘打ちして固定する。床根太４の端部は端根太３の側部に接合金物６を介して接合する。接合金物６は、端根太３側に固定された固定フランジ６ａと床根太４の端部にボルト接合された接合フランジ６ｂとから平面視Ｔ字状に形成する。固定フランジ６ａは端根太３と端根太転び止め５との間に挟みこむことにより端根太３側に固定する。【選択図】図１
2008231662.tif 000002
【特許請求の範囲】
【請求項１】
端根太と当該端根太の側部に配置される床根太と当該床根太と前記端根太とを接続するように配置された接合金物と前記端根太の側面に配置される端根太転び止めとからなる枠組壁構造の床組において、前記床根太は開断面の鉄骨材から形成され、前記接合金物は前記端根太と前記端根太転び止めとの間に挟持された固定部と前記床根太の端部に接合ボルトによって接合された接合部とから構成され、前記端根太転び止めを前記端根太に固定する釘のうち、一部は前記接合金物の固定部の周囲および／または固定部を貫通するように打ち付けられていることを特徴する枠組壁構造の床組。
【請求項２】
床根太はＨ形鋼または溝形鋼から形成されてなることを特徴とする請求項１記載の枠組壁構造の床組。
【請求項３】
端根太と当該端根太の側部に配置された床根太と当該床根太と前記端根太とを接続するように配置された接合金物と前記端根太の側部に配置された端根太転び止めとからなる枠組壁構造の床組施工方法であって、前記接合金物に端根太側に固定される固定部と床根太に固定される接合部とからなる接合金物を用い、当該接合金物の接合部を前記床根太の端部に接合ボルトによって仮付けした後、前記固定部を端根太の側部に添え付け、該固定部を前記端根太とで挟持するように端根太転び止めを添え付けると共に、当該端根太転び止めを前記端根太に釘打ちし、次に前記接合ボルトを本締めすることを特徴とする枠組壁構造の床組施工方法。
【請求項４】
床根太と端根太転び止めを端根太の軸方向に交互に配置することを特徴とする請求項３記載の枠組壁構造の床組施工方法。
【発明の詳細な説明】
【技術分野】
【０００１】
本発明は、木造枠組壁構造の床組およびその施工方法に関し、主として床の大スパン化、大スパン化に伴なうクリープと木造床で発生しやすい床鳴りを防止すると共に、端根太と床根太を強固に接合できるようにしたものである。
【背景技術】
【０００２】
これまで、わが国の木材資源は豊富で安価に入手可能とされ、また気候が四季の変化に富み、高温多湿なこと等から木造建築の人気は根強く、特に戸建て住宅には木造建築とする要望が多い。また、木造建築の構築方法として在来の軸組工法の他に木造枠組壁工法なども広く実施されている。  
【０００３】
木造枠組壁工法は、規格化された寸法の縦枠（スタッド）と上枠（上ランナー）および下枠（下ランナー）で枠組をつくり、これに構造用合板を釘打ちして面的な床や壁を一階床から上層階へと順次組み立てていく工法であり、在来工法に比べて特に部材の種類が少なく、部材どうしの接合も特別な熟練を必要とせず比較的簡単で、しかも外力を面で分散して受け止める構造であること等から耐震性にも優れている。
【０００４】
本工法において、例えば図４（ａ），（ｂ）に図示するような二階の床を施工するには、図５（ａ）〜（ｄ）に図示するように、一階壁パネルの上枠２０の上に頭つなぎ２１と端根太２２を順に設置し、頭つなぎ２１，２１間に床根太２３を架け渡し、端根太２２の内側に端根太転び止め２４を添えつけ、これらの部材の上に構造用合板２５を敷設する。
【０００５】
その際、頭つなぎ２１は壁パネルの上枠２０に、端根太２２は頭つなぎ２１に、そして床根太２３の端部と転び止め２４は端根太２２にそれぞれ釘打ちし、そして構造用合板２５は端根太２２と床根太２３に釘打ちすることにより各部材どうしをそれぞれ接合している。特に床根太２３の端部は端根太２２の背面側から床根太２３の小口部に釘打ちすることにより接合している。
【０００６】
【特許文献１】特開２００２−１８０５５２号公報
【発明の開示】
【発明が解決しようとする課題】
【０００７】
木造枠組壁工法において床を施工する場合、特に床根太の端部を端根太の側部に釘打ちして固定する際に、端根太の背面側から床根太の小口部に釘打ちするため、釘を打ち損じないようにけがき等によって床根太ごとに予め位置決めをする必要があった。
【０００８】
また、かりに位置決めをしたとしても、床根太の小口断面は小さいことから打ち損じることがあり、そのため床根太の端部に割れやひび割れが発生することがあり、しかも釘の打ち損じを見落としたり目視できない場合があるため、強度不足に陥り、強度的に大きな問題があった。
【０００９】
また、近年、少子化（部屋を区切る必要がない）や居住者のライフスタイルの変化に対応できるように、戸建て住宅の間取りはスケルトン（構造体部分）とインフィル（内装や設備部分）に分けて計画する、スケルトンインフィルの考えから大空間化（大スパン化）の傾向にある。
【００１０】
さらに、近年における木材資源の枯渇化、地球温暖化などの急激な自然環境の変化により、自然保護の観点から木材の伐採が制限されてきており、その結果木材の入手が困難になり、しかも価格の高騰が懸念されている。
【００１１】
また、木材は建設後も乾燥収縮を免れず、割れや狂い等で形状寸法を変化させ、そのため建具の建て付けや仕上げ等に支障を来たすことがある。また、構造性能上においても、木材はクリープを発生させ、６０年経過後には竣工時の約2倍にも達することがあり、その結果床や壁などの仕上げ、さらに建具の建て付けに支障を来たすことがある。さらに、木造建築にはいわゆる床鳴りの問題もある。
【００１２】
本発明は、以上の課題を解決するためになされたもので、床の大スパン化、大スパン化に伴なうクリープと木造床で発生しやすい床鳴りを防止すると共に、端根太と床根太を強固に接合できるようにした枠組壁構造の床組およびその施工方法を提供することを目的とする。
【課題を解決するための手段】
【００１３】
請求項１記載の枠組壁構造の床組は、端根太と当該端根太の側部に接合される床根太と当該床根太と前記端根太とを接続するように配置された接合金物と前記端根太の側面に配置される端根太転び止めとからなる枠組壁構造の床組において、前記床根太は開断面の鉄骨材から形成され、前記接合金物は前記端根太と前記端根太転び止めとの間に挟持された固定部と前記床根太の端部に接合された接合部とから構成され、かつ前記端根太転び止めを前記端根太に固定するための釘のうち、一部は接合金物の固定部の周囲および／または固定部を貫通するように打ち付けられていることを特徴するものである。
【００１４】
本発明は、床根太として開断面の鉄骨材を用いることで、床の大スパン化を可能にすると共に、大スパン化に伴なうクリープの発生とその増大を抑制することを可能にし、また、木造の床で発生しやすい床鳴り（きしみ）を防止できるようにしたものである。
【００１５】
また、床根太の端部を端根太の側部に、簡単な形状の接合金物を用いて強固に接合できるようにしたことで、これまで木造枠組壁工法における施工上の課題の一つとされてきた釘の打ち損じや打ち損じに伴なう床根太端部のひび割れやひび割れに伴う強度不足等の問題を解消したものである。
【００１６】
さらに、前記端根太転び止めを前記端根太に固定するための釘のうち、一部は接合金物の固定部の周囲および／または固定部を貫通するように打ち付けられているため、接合金物の固定部を端根太と端根太転び止めとの間に可能な限り強固に挟み付けて固定することができ、特に固定部の中央部分を貫通するように釘打ちすれば、少ない釘で固定部全体を均等に挟み込むことができる。なお、この場合、固定部にルーズ孔を空けておけば釘打ちが容易になる。
【００１７】
この場合の接合金物は、端根太側に固定される固定部と床根太の端部に接合される接合部を備えるものであれば、形状は特に限定されるものではなく、例えば二枚の鋼板を溶接してＴ字状に形成し、フランジ側を固定部、ウェブ側を接合部としたもの、あるいは一枚の鋼板をＬ字状に折り曲げ、一方のフランジ側を固定部、他方のフランジ側を接合部としたものでよい。釘には通常の釘の他にコンクリート用釘やビス等も含む。
【００１８】
請求項２記載の枠組壁構造の床組は、請求項１記載の枠組壁構造の床組において、床根太はＨ形鋼または溝形鋼から形成されてなることを特徴とするものである。この場合のＨ形鋼や溝形鋼としては、特に板厚２．３ｍｍ以上の形鋼が大スパン化に適しており望ましい。また、他にＴ形鋼やＩ形鋼も用いることができる。
【００１９】
請求項３記載の枠組壁構造の床組の施工方法は、端根太と当該端根太の側部に配置された床根太と当該床根太と前記端根太とを接続するように配置された接合金物と前記端根太の側部に配置された端根太転び止めとからなる枠組壁構造の床組施工方法であって、前記接合金物として端根太側に固定される固定部と床根太に接合される接合部とからなる接合金物を用い、当該接合金物の接合部を前記床根太の端部に接合ボルトによって仮付けした後、前記固定部を端根太の側部に添え付け、該固定部を前記端根太とで挟持するように端根太転び止めを添え付けると共に、当該端根太転び止めを前記端根太に釘打ちし、次に前記接合ボルトを本締めすることを特徴とするものである。
【００２０】
本発明は、特に接合金物を端根太側に先付けし、その後から床根太の端部を端根太に接合金物を介して接合することにより、床根太の位置決めと接合を効率的に行なえるようにしたものである。この場合、床根太の端部に形成されたボルト孔を長孔とするのがよい。
【００２１】
請求項４記載の枠組壁構造の床組の施工方法は、請求項３記載の枠組壁構造の床組の施工方法において、床根太と端根太転び止めを端根太の軸方向に交互に配置することを特徴とするものである。本発明は、端根太転び止めの長さを床根太の設置間隔に合わせ、床根太と端根太転び止めを交互に設置することにより、床根太の設置と同時に床根太の位置合わせも同時に行なえようにしたものである。
【発明の効果】
【００２２】
請求項１記載の枠組壁構造の床組によれば、床根太として開断面の鉄骨材が用いられていることで、床の大スパン化が可能になり、また大スパン化に伴なうクリープの発生とその増大を抑制することができ、さらに木造の床で発生しやすい床鳴り（きしみ）を防止することができる。
【００２３】
また、床根太の端部は端根太の側部に、端根太と端根太転び止めとの間に挟持された固定部と床根太の端部に接合された接合部とからなる接合金物によって接合されていることで、これまで木造床組の施工上の課題の一つとされてきた釘の打ち損じや打ち損じに伴なう床根太端部のひび割れ、ひび割れに伴う強度不足等の問題を解消することができる。
【００２４】
さらに、端根太転び止めを端根太に固定する釘のうち、一部は接合金物の固定部の周囲および／または固定部を貫通するように打ち付けられていることで、接合金物の固定部を端根太と端根太転び止めとの間により強固に挟み付けて固定することができ、特に固定部の中央部分を貫通するように釘打ちすれば、少ない釘で固定部全体を均等に挟み込むことができる。
【００２５】
請求項２記載の枠組壁構造の床組によれば、床根太としてＨ形鋼や溝形鋼を用いることができるので、資材の調達が容易にかつ廉価に行なうことができる。
【００２６】
請求項３記載の枠組壁構造の床組施工方法によれば、接合金物として端根太側に固定される固定部と床根太に接合される接合部とからなる接合金物を用い、当該接合金物の接合部を前記床根太の端部に接合ボルトによって仮付けし、先に前記固定部を端根太側に固定し、その後に前記接合ボルトを本締めして床根太の端部を端根太に接合することにより、床根太の位置決めと接合を効率的にかつ容易に行なうことができる。
【００２７】
請求項４記載の枠組壁構造の床組施工方法によれば、床根太と端根太転び止めを交互に設置することにより、床根太の設置と同時に床根太の位置合わせも行なうことができる。
【発明を実施するための最良の形態】
【００２８】
図１と図２は、木造枠組壁構造の床組を示し、図において壁パネル１の上端部に頭つなぎ２が設置され、当該頭つなぎ２の上に端根太３がそれぞれ設置されている。
【００２９】
頭つなぎ２は壁パネル１の上枠１ａに、端根太３は頭つなぎ２にそれぞれ釘打ちすることにより固定されている。また、頭つなぎ２の上にＨ形鋼からなる床根太４の端部と端根太転び止め５がそれぞれ設置され、転び止め５は端根太３に添え付けられ、かつ床根太４の両側に設置されている。そして、床根太４の端部は端根太３の側部に接合金物６を介して接合され、転び止め５は端根太３に釘打ちして固定されている。
【００３０】
接合金物６は、図２（ａ）に図示するように、端根太３側に固定された固定フランジ６ａと床根太４の端部に接合された接合フランジ６ｂとから平面視Ｔ字状に形成されている。固定フランジ６ａには必要に応じてルーズ孔６ｃが形成され、接合フランジ６ｂには複数のボルト孔６ｄ，６ｄが形成され、当該ボルト孔６ｄは長孔になっている。
【００３１】
また、固定フランジ６ａは端根太３と端根太転び止め５との間に挟みこむことにより端根太３側に固定され、接合フランジ６ｂは、当該接合フランジ６ｂのボルト孔６ｄ，６ｄと床根太４のウェブ４ａの端部に形成されたボルト孔（図省略）を貫通する複数の接合ボルト７，７によってボルト接合されている。
【００３２】
その際、端根太転び止め５を端根太３に固定するために、転び止め５側から端根太３側に打ち付けられた釘のうち、一部の釘８は、固定フランジ６ａの周囲に打ち付けられ、さらに固定フランジ６ａのルーズ孔６ｃを貫通するように打ち付けられている。このように転び止め５を端根太３に釘打ちして固定することにより固定フランジ６ａを端根太３と転び止め５との間に均等な力で挟み付けて固定することができる。
【００３３】
なお、図２（ｂ）は接合金物の他の例を示し、固定フランジ６ａと接合フランジ６ｂとから平面Ｌ形状に形成され、固定フランジ６ａにルーズ孔６ｃ、接合フランジ６ｂにボルト孔６ｄがそれぞれ形成されている。また、符号９は床材として釘打ちして取り付けられた構造用合板である。
【００３４】
次に、図３（ａ）〜（ｅ）に基づいて床組の施工手順を説明する。
【００３５】
最初に、Ｈ形鋼からなる床根太４の端部に接合金物６を接合ボルト７によって仮付けする。また、壁パネル１の上枠１ａの上に頭つなぎ２と端根太３をそれぞれ取り付ける。
【００３６】
次に、接合金物６を仮付けした床根太４の端部を頭つなぎ２の上に載せる。そして、接合金物６の固定フランジ６ａを端根太３の側面部に添え付け密着させる。
【００３７】
次に、端根太３の内側に端根太転び止め５を添え付け、端根太３と転び止め５との間に接合金物６の固定フランジ６ａを挟みこむ。そして、端根太転び止め５をその背面側から端根太３側に釘を打ち付けて端根太転び止め５を端根太３に固定する。その際特に、固定フランジ６ａの周囲と、固定フランジ６ａのルーズ孔６ｃを貫通する位置に釘８を多めに打ち込む。これにより、接合金物６の固定フランジ６ａは端根太３側に強固に固定されたことになる。
【００３８】
次に、接合ボルト７，７を本締めして接合金物６の接合フランジ６ｂに床根太４のウェブ４ａの端部を強固に接合する。その際、接合フランジ６ｂに形成されたボルト孔６ｄが長孔に形成されていることで、床根太４の寸法誤差や施工上の誤差を簡単に修正することができる。こうして、床根太４の設置が完了したら、床根太４の上に床材として構造用合板９を敷設し、釘打ちする。
【図面の簡単な説明】
【００３９】
【図１】端根太と床根太との接合部を示す床組の一部斜視図である。
【図２】（ａ），（ｂ）は、接合金物の一例を示す斜視図である。
【図３】（ａ）〜（ｅ）は、二階床組の施工手順を示す説明図である。
【図４】（ａ）は木造枠組壁工法による床組を示す一部斜視図、（ｂ）は、（ａ）におけるイ部拡大図である。
【図５】（ａ）〜（ｆ）は従来の二階床組の施工手順を示す説明図である。
【符号の説明】
【００４０】
１  壁パネル
２  頭つなぎ
３  端根太
４  床根太
５  端根太転び止め
６  接合金物
６ａ  固定フランジ（固定部）
６ｂ  接合部（接合フランジ）
６ｃ  ルーズ孔
６ｄ  ボルト孔
７  接合ボルト
８  釘
９  構造用合板
【図１】
2008231662.tif 000003
【図２】
2008231662.tif 000004
【図３】
2008231662.tif 000005
【図４】
2008231662.tif 000006
【図５】
2008231662.tif 000007